(57)【特許請求の範囲】
【請求項１】
弾性糸を用いて編成された伸縮性の高い弾性部を選択的に有する連続した編み組織からなるレッグウェアであって、
足の親指が挿入される第１挿入部、および親指以外の他の足の指が挿入される第２挿入部を有し、前記第１挿入部が前記第２挿入部から独立して袋状に形成された爪先部と、
前記爪先部の後端と連続して編成されたフート部と、
前記フート部の後端と連続して編成された踵部と、
前記踵部の上端と連続して編成されたレッグ部とを含み、
前記弾性部は、
前記爪先部と前記フート部との境界に沿って環状に形成され、着用状態において拇趾球および小趾球を含む指の付け根を締め付ける第１締め付け部と、
前記踵部と前記レッグ部との境界および前記フート部と前記踵部との境界それぞれに沿って環状に形成され、着用状態において踵に対して足首側および土踏まず側の部分を締め付ける第２締め付け部と、
前記フート部の足甲部と足底部との境界に沿って、前記第２締め付け部から前記第１締め付け部を介して前記第１挿入部まで延びるように線状に形成され、着用状態において親指から拇趾球にかけて足の側面に接する線状部とを含み、
前記第１挿入部は、
着用状態においては、前記線状部が着用者の親指の側面の形状に沿って伸びることにより、当該親指の付け根から先端に向かう方向に延出しており、
非着用状態においては、前記線状部が元の形状まで縮むことにより、前記第２挿入部側とは反対側の側面が前記第１締め付け部側に引っ張られて、前記第２挿入部から離れる方向に曲がっている、レッグウェア。
【請求項２】
前記フート部の足の甲側には、少なくとも前記第１締め付け部、前記線状部および前記第２締め付け部により区画された開口が形成されている、請求項１に記載のレッグウェア。
【請求項３】
前記第２締め付け部は、前記開口の周縁部に沿ってメッシュ編みにより編成されたメッシュ部を有する、請求項２に記載のレッグウェア。
【請求項４】
前記弾性部は、前記第１挿入部における親指の爪側の部分および親指の底側の部分に選択的に形成され、前記線状部から前記第２挿入部に近づく方向に屈曲する屈曲部をさらに含む、請求項１〜３のいずれか一項に記載のレッグウェア。
【請求項５】
前記屈曲部には、前記第１挿入部における前記第２挿入部に近い側の端部において、前記爪側の部分と前記底側の部分との間に隙間が設けられている、請求項４に記載のレッグウェア。
【請求項６】
前記第２挿入部は、着用状態において、足の小指を覆う袋部と、当該袋部から独立して形成され、足の小指以外の他の足の指の先端部を露出させるための開口部とを有する、請求項１〜５のいずれか一項に記載のレッグウェア。
【請求項７】
前記第１挿入部における前記第２挿入部に近い側の端部のコース数が、前記第２挿入部から遠い側の端部のコース数よりも多い、請求項１〜６のいずれか一項に記載のレッグウェア。
【発明の詳細な説明】
【技術分野】
【０００１】
本発明は、レッグウェア、より詳しくは、外反母趾対策用のレッグウェアに関する。
【背景技術】
【０００２】
近年、外反母趾対策用の靴下やサポータが注目されている。
この種の靴下として、たとえば、中足関節部である第１中足骨骨頭部と第５中足骨骨頭部と、ゴムに絡ませながら織り込まれた強度の強い糸からなり、リスフラン関節部である第１中足骨基底部と第５中足骨基底部を固定し、足の横アーチ（中足関節部）と縦アーチ（リスフラン関節部）を形成するための締め付け部とを有する、外反母趾および内反小指矯正用靴下が提案されている（たとえば、特許文献１参照）。
【０００３】
また、サポータとして、たとえば、ズレ防止ベルト、各種クッション材、および複数の係止用マジック（登録商標）ファスナを備え、外反母趾と内反小指の患部である親指と第２指間、第４指と第５指間を離すために、親指と第２指間の指間パットおよび第４指と第５指間の指間パットが設けられた、外反母趾および内反小指矯正用サポータが提案されている（たとえば、特許文献２参照）。
【先行技術文献】
【特許文献】
【０００４】
【特許文献１】特開２００８−１６１３４４号公報
【特許文献２】特開２００７−１６７１８０号公報
【発明の概要】
【発明が解決しようとする課題】
【０００５】
しかしながら、特許文献１の靴下ように、足の中足関節およびリスフラン関節を締め付けて固定するだけでは、足の親指に対して外側に向く方向の力を十分加えることは困難であり、外反母趾対策が十分施されているとは言い難い。
また、特許文献２のサポータは、装着の際に、展開されている各種ベルト類（ズレ防止ベルト、係止用マジック（登録商標）ファスナ）を一つずつ、足に適合するように係止する必要があるため、その装着が非常に手間である。
【０００６】
本発明の目的は、足親指に対して外側に向く方向の力を十分加えることができ、しかも簡単に履くことができるレッグウェアを提供することである。
【課題を解決するための手段】
【０００７】
上記目的を達成するための請求項１記載の発明は、弾性糸を用いて編成された伸縮性の高い弾性部を選択的に有する連続した編み組織からなるレッグウェアであって、足の親指が挿入される第１挿入部、および親指以外の他の足の指が挿入される第２挿入部を有し、前記第１挿入部が前記第２挿入部から独立して袋状に形成された爪先部と、前記爪先部の後端と連続して編成されたフート部と、前記フート部の後端と連続して編成された踵部と、前記踵部の上端と連続して編成されたレッグ部とを含み、前記弾性部は、前記爪先部と前記フート部との境界に沿って環状に形成され、着用状態において拇趾球および小趾球を含む指の付け根を締め付ける第１締め付け部と、前記踵部と前記レッグ部との境界および前記フート部と前記踵部との境界それぞれに沿って環状に形成され、着用状態において踵に対して足首側および土踏まず側の部分を締め付ける第２締め付け部と、前記フート部の足甲部と足底部との境界に沿って、前記第２締め付け部から前記第１締め付け部を介して前記第１挿入部まで延びるように線状に形成され、着用状態において親指から拇趾球にかけて足の側面に接する線状部とを含み、前記第１挿入部は、着用状態においては、前記線状部が着用者の親指の側面の形状に沿って伸びることにより、当該親指の付け根から先端に向かう方向に延出しており、非着用状態においては、前記線状部が元の形状まで縮むことにより、前記第２挿入部側とは反対側の側面が前記第１締め付け部側に引っ張られて、前記第２挿入部から離れる方向に曲がっている、レッグウェアである。
【０００８】
この構成によれば、人がこのレッグウェアを着用したときに、当該レッグウェアの第１締め付け部が、その弾性力により着用者の足の甲および足底に固定される。また、その固定とともに、固定された第１締め付け部から第１挿入部に跨る伸縮性の高い線状部が、着用者の足の親指の形状に沿って伸び、親指から拇趾球にかけて足の側面に接する。これにより、線状部が元の形状に戻ろうとする力を利用して、着用者の足の親指を収容する第１挿入部の側面（第２挿入部側とは反対側の側面）に対して、踵側へ引っ張る力を加えることができる。その結果、第１挿入部に対して第２挿入部から離れる方向の力が加わるので、着用者の足の親指に対して外側（人差し指（第２指）から離れる側）に向く方向の力を加えることができる。
【０００９】
しかも、第１締め付け部による足の甲および足底の締め付けにより、線状部が第１挿入部を引っ張る際の支点が固定されるので、線状部が足の側面に対してずれることを抑制できる。そのため、第１挿入部に対して力を良好に伝えることができる。
さらに、第１挿入部を区画する編み生地を着用者の足の親指に直接引っ掛けることにより、当該親指を外側に引っ張るので、足の中足関節およびリスフラン関節を締め付けることにより足の親指を外側に向けようとする場合よりも、大きな力を親指に加えることができる。
【００１０】
これらの結果、本発明によれば、着用者の足の親指に対して外側（人差し指（第２指）から離れる側）に向く方向の力を十分加えることができる。よって、外反母趾対策に適したレッグウェアを提供することができる。
また、レッグウェアが、弾性部を含めて連続した編み組織からなるので、着用者は、フート部を介して爪先部まで足を通すことにより、簡単に履くことができる。よって、着用時の手間が少なくて済む。
【００１２】
また、この構成によれば、第２締め付け部の土踏まず側に回りこむ部分により、線状部が第１挿入部を引っ張る際の支点がさらに固定される。これにより、第１締め付け部と線状部との交点および第２締め付け部と線状部との交点の合計２つの支点が固定されることになる。そして、この２つの支点に跨る線状部の弾性力により、第１挿入部に対してより大きな力を加えることができる。しかも、第２締め付け部はアキレス腱側に回りこむ部分も有しているので、当該部分の締め付けにより、足の側面に対する線状部のずれの発生を一層抑制することができる。
【００１３】
また、請求項２記載の発明は、前記フート部の足の甲側には、少なくとも前記第１締め付け部、前記線状部および前記第２締め付け部により区画された開口が形成されている、請求項１に記載のレッグウェアである。
この構成では、第１締め付け部、線状部および第２締め付け部により区画される領域に編み組織が形成されている場合よりも、第１締め付け部、線状部および第２締め付け部それぞれの弾性力の分散を抑制することができる。その結果、足の甲、足底および足首に各締め付け部を良好に固定できるとともに、線状部の弾性力を、第１挿入部に対して効率よく伝えることができる。
【００１４】
また、着用者の足の甲と足底との間に適当な温度差を発生させることができるので、着用後の快適性にも優れる。
また、請求項３記載の発明は、前記第２締め付け部は、前記開口の周縁部に沿ってメッシュ編みにより編成されたメッシュ部を有する、請求項２に記載のレッグウェアである。
この構成では、歩行時に曲げ伸ばし動作が頻繁に行なわれ、第２締め付け部による締め度合が大きくなりやすい足首付近の編み組織をメッシュ編みにすることにより、当該箇所における痒みの発生などを抑制することができる。
【００１５】
また、請求項４記載の発明は、前記弾性部は、前記第１挿入部における親指の爪側の部分および親指の底側の部分に選択的に形成され、前記線状部から前記第２挿入部に近づく方向に屈曲する屈曲部をさらに含む、請求項１〜３のいずれか一項に記載のレッグウェアである。
この構成では、着用状態において屈曲部の弾性力により、第１挿入部における親指の爪側および親指の底側の両方に対して、第２挿入部から離れる方向の力を直接加えることができる。その結果、着用者の足の親指に対して、外側（人差し指（第２指）から離れる側）に向く方向の力をより良好に加えることができる。
【００１６】
また、請求項５記載の発明は、前記屈曲部には、前記第１挿入部における前記第２挿入部に近い側の端部において、前記爪側の部分と前記底側の部分との間に隙間が設けられている、請求項４に記載のレッグウェアである。
この構成では、屈曲部に隙間が設けられているため、足の親指の爪溝が、屈曲部の編み組織（弾性糸を用いて編成された組織）により押圧されることを防止することができる。そのため、着用後の快適性に優れる。
【００１７】
また、請求項６記載の発明は、前記第２挿入部は、着用状態において、足の小指を覆う袋部と、当該袋部から独立して形成され、足の小指以外の他の足の指の先端部を露出させるための開口部とを有する、請求項１〜５のいずれか一項に記載のレッグウェアである。
この構成では、歩行時の接地圧が足の親指および足の小指に比べて小さい、人差し指（第２指）、中指（第３指）および薬指（第４指）の先端部を爪先部から露出させることができる。これにより、歩行の際、５本の指で地面をしっかり捉えることができる。
【００１８】
また、請求項７記載の発明は、前記第１挿入部における前記第２挿入部に近い側の端部のコース数が、前記第２挿入部から遠い側の端部のコース数よりも多い、請求項１〜６のいずれか一項に記載のレッグウェアである。
この構成では、第２挿入部に対する第１挿入部の傾斜角を大きくすることができるので、着用者の足の親指に対して、外側（人差し指（第２指）から離れる側）に向く方向に、より大きな力を加えることができる。
【図面の簡単な説明】
【００１９】
【図１】本発明の一実施形態に係る靴下の平面図である。
【図２】本発明の一実施形態に係る靴下の底面図である。
【図３】本発明の一実施形態に係る靴下の正面図である。
【図４】本発明の一実施形態に係る靴下の背面図である。
【図５】本発明の一実施形態に係る靴下の右側面図である。
【図６】本発明の一実施形態に係る靴下の左側面図である。
【図７】図３のＡ−Ａ切断面における断面図である。
【図８】図１〜図６に示す靴下の着用状態を正面から見た図である。
【図９】図１〜図６に示す靴下の着用状態を右斜め上方から見た図である。
【図１０】図１〜図６に示す靴下の着用状態を左斜め上方から見た図である。
【図１１】着用状態における爪先部の拡大図であって、親指部の爪側編み組織を省略して示す図である。
【図１２】着用状態における爪先部の拡大図であって、親指部の爪側編み組織を透視して示す図である。
【図１３】本発明の参考例に係る靴下を示す図（着用状態の図）である。
【発明を実施するための形態】
【００２０】
以下では、本発明の実施の形態を、添付図面を参照して詳細に説明する。
図１〜図６は、本発明の一実施形態に係る靴下を示す図であって、図１が平面図、図２が底面図、図３が正面図、図４が背面図、図５が右側面図、図６が左側面図である。また、図７は、図３のＡ−Ａ切断面における断面図である。なお、図１〜７では、左足用のみを表している。
【００２１】
本発明の一実施形態に係るレッグウェアとしての外反母趾対策用の靴下１は、たとえば、スニーカーソックスであって、前後方向に対向する少なくとも前後一対の針床を有する横編機（たとえば、株式会社島精機製作所製「ＳＷＧ０６１Ｎ」）を用いて編成された編み組織からなる。
この靴下１の編み組織は、縫製や接着剤により別々の編み組織からなる複数のパーツが継ぎ接ぎされて編成されたものではなく、当該靴下１の複数の部位を編成する編み組織が互いに編みループで繋がって編成されており、通常の伸縮性（第１の伸縮性）を有するベース部２（図１〜図６の白抜きの領域）と、このベース部２と連続して編成され、当該ベース部２の伸縮性よりも高い伸縮性（第２の伸縮性）を有する弾性部３（図１〜図６のハッチングの施された領域）とを含んでいる。
【００２２】
ベース部２は、本実施形態では、たとえば、ナイロン表糸（たとえば、東レ株式会社製「キュープ（登録商標）」など）およびＦＴＹ（Filament Twisted Yarn）裏糸（たとえば、旭化成株式会社製「ポリウレタン×ナイロン＝７０×７０」など）を用いて、平編みにより編成されている。
一方、弾性部３は、本実施形態では、たとえば、ナイロン表糸（たとえば、東レ株式会社製「キュープ（登録商標）」など）および弾性糸としてのゴム裏糸（たとえば、東レ・オペロンテックス株式会社製「ライクラ（登録商標）」、旭化成せんい株式会社製「ロイカ（登録商標）」など」を用いて、平編みにより編成されている。
【００２３】
なお、用いられる糸の太さは、靴下１の各部位に必要な伸縮性に応じて適宜のものを選択すればよい。たとえば、ナイロン表糸としては、７０Ｄ（デニール）の単糸を２本撚り合わせた双糸の３本使い（双糸３本を表糸として使用）、ＦＴＹ裏糸は７０／７０（７０Ｄ・ポリウレタン×７０Ｄ・ナイロン）程度の糸、ゴム裏糸としては、５６０Ｄ程度の芯糸（ポリウレタン）を７０Ｄ程度のカバリング糸（ナイロン）でダブルカバリングしたＤＣＹ（Double Covering Yarn）を選択することができる。
【００２４】
また、ベース部２の表糸および弾性部３の表糸は、同じ材質および同じ太さのものであることが好ましい。両者に同じ表糸を用いることにより、靴下１全体としての質感や触り心地などのばらつきをなくすことができる。
このような編み組織を有する当該靴下１は、複数の部位として、履き口側から爪先側へ向かって順に、口ゴム部４、レッグ部５、踵部６、フート部７および爪先部８を一体的に有している。
【００２５】
口ゴム部４は、筒状に形成されており、この口ゴム部４の下端と連続して、レッグ部５が筒状に形成されている。
踵部６は、レッグ部５における後側（アキレス腱側）下端と連続して形成されており、踵部６の爪先側端およびレッグ部５における前側（足甲側）下端と連続して、フート部７が筒状に形成されている。そして、フート部７の爪先側端と連続して、爪先部８が形成されている。
【００２６】
踵部６には、その編み組織を編成する際に生じるＹ状のゴアライン９，９が左右両側に形成されている。ゴアライン９，９は、足の甲側におけるレッグ部５とフート部７との境界（切替え位置）の目安となるものである。具体的には、足の甲部側におけるレッグ部５とフート部７との切替え位置は、一方のゴアライン９の足の甲側端と他方のゴアライン９の足の甲側端とを結ぶコース（横方向の編み目列）によって設定されており、当該コースよりも爪先側がフート部７の編み組織であり、その反対側がレッグ部５の編み組織である。また、ゴアライン９，９は、フート部７の足の甲側としての足甲部１０と足底側としての足底部１１との境界の目安にもなっており、足甲部１０と足底部１１との境界は、両方のゴアライン９，９の足の甲側端を通るウェール（縦方向の編み目列）によって設定されている。
【００２７】
フート部７の足甲部１０には、着用状態において着用者の足の甲を露出させる、踵から爪先へ向かう方向（以下、足長方向という。）に長手な略長方形状の開口１２が形成されている。この開口１２は、たとえば、足長方向に直交する足幅方向における足甲部１０の両端（足甲部１０と足底部１１との境界をなすウェール）からそれぞれ４〜１６ウェール目の両ウェール間の領域において、足の甲側におけるレッグ部５とフート部７との切替え位置をなすコースから爪先部８へ向かう方向に８〜１６コース分の編み組織が省略されることにより形成されている。
【００２８】
爪先部８は、足の親指が挿入される第１挿入部としての親指部１３と、足の小指が挿入される小指部１４と、親指部１３と小指部１４との間に設けられ、それ以外の指（人差し指（第２指）、中指（第３指）および薬指（第４指））が挿入される中間部１５とを、互いに独立して有している。親指部１３および小指部１４は、いずれもその先端が閉塞された袋状に形成されている。また、本実施形態では、小指部１４および中間部１５が、本発明の第２挿入部の一形態を表している。
【００２９】
袋状の親指部１３は、その基端側に形成された筒状部１６と、筒状部１６の先端を閉塞する先端部１７とを有している。先端部１７には、その編み組織を編成する際に生じるゴアライン１８，１９が左右両側に形成されている。これらゴアライン１８，１９が形成されることにより、先端部１７の各コースにおける編み目の数は、先端部１７と筒状部１６との境界（切替え位置）をなすコースから先端に向かうに従って減っている。
【００３０】
ゴアライン１８，１９は、足の内側（人差し指から遠い側）の内側ゴアライン１８と、足の外側（人差し指に近い側）の外側ゴアライン１９とを含んでいる。本実施形態では、外側ゴアライン１９よりも内側ゴアライン１８を長くすることにより、親指部１３の先端部１７の形状が、人差し指に近い側において略曲線で画成されるのに対し、人差し指から遠い側において略直線で画成されている。これにより、先端部１７において、人差し指に近い側に比べて遠い側の膨らみ度合が小さくなっている。
【００３１】
また、内側ゴアライン１８および外側ゴアライン１９は、親指部１３の爪側の部分としての爪側部２０と底側の部分としての指底部２１との境界の目安にもなっており、爪側部２０と指底部２１との境界は、両方のゴアライン９の爪先側端を通るウェールによって設定されている。
中間部１５は、その先端が開口部２２として開放された筒状に形成されている。これにより、着用者は、歩行時の接地圧が足の親指および足の小指に比べて小さい、人差し指、中指および薬指の先端部を爪先部８から露出させることができる。そのため、歩行の際、５本の指で地面をしっかり捉えることができる。
【００３２】
このような構成を有する靴下１において、弾性部３は、レッグ部５、フート部７および爪先部８に跨るように選択的に形成されている。
具体的には、弾性部３は、フート部７における爪先部８との切替え位置に沿って環状に形成され、着用者の拇趾球および小趾球を含む指の付け根付近をサポートする（締め付ける）第１締め付け部としての爪先側サポート２３と、レッグ部５およびフート部７における踵部６との切替え位置に沿ってそれぞれ環状に形成され、着用者の足首および土踏まず（踵の前後両側）を足の甲側から一体的にサポートする第２締め付け部としての踵側サポート２４と、踵側サポート２４から足甲部１０と足底部１１との境界に沿って、爪先側サポート２３を介して筒状部１６と先端部１７との切替え位置まで延びる線状部としてのサイドサポート２５と、筒状部１６においてサイドサポート２５から爪側部２０および指底部２１の両側に鉤状に屈曲する屈曲部としての指サポート２６とを有している。
【００３３】
爪先側サポート２３は、たとえば、フート部７と爪先部８との切替え位置をなすコースから踵側へ向かう方向に１５〜４０コース分の編み組織により編成されており、フート部７の開口１２の爪先側縁部を区画している。
踵側サポート２４は、たとえば、レッグ部５側の部分がレッグ部５と踵部６との切替え位置をなすコースから口ゴム部４へ向かう方向に２０〜４０コース分の編み組織により編成されている。一方、フート部７側の部分がフート部７と踵部６との切替え位置をなすコースから爪先部８へ向かう方向に２０〜４０コース分の編み組織により編成されている。また、踵側サポート２４のフート側部分は、その足甲部１０に編成された箇所が、フート部７の開口１２の踵側縁部を区画し、メッシュ編みにより編成されたメッシュ部２７となっている。
【００３４】
サイドサポート２５は、フート部７の開口１２の足の内側縁部を区画しており、たとえば、足甲部１０と足底部１１との境界をなすウェール（爪側部２０と指底部２１との境界をなすウェール）から足の甲側および足底側の両側に向かう方向に４〜１６ウェール分ずつの一定幅の編み組織により編成されている。
指サポート２６は、爪側部の部分２８が、筒状部１６と先端部１７との切替え位置をなすコースから踵側へ向かう方向に８〜２０コース分、かつ、内側ゴアライン１８の基端から外側ゴアライン１９へ向かう方向に３０〜４５ウェール分の一定幅の編み組織により編成されている。一方、指底部の部分２９が、筒状部１６と先端部１７との切替え位置をなすコースから踵側へ向かう方向に４０〜５５コース分、かつ、内側ゴアライン１８の基端から外側ゴアライン１９の基端まで、つまり、筒状部１６の指底部２１のウェール数に相当するウェール分の一定幅の編み組織により編成されている。指底部の部分２９のウェール数よりも爪側部の部分２８のウェール数が少なくされることにより、指サポート２６には、爪側部２０における足の外側端部において、５〜１５ウェール分の隙間３０が設けられている。この隙間３０部分は、ベース部２の編み組織として編成されている。
【００３５】
また、親指部１３において、中間部１５に近い側の端部のコース数Ａは、サイドサポート２５の中間部１５に近い側の端部のコース数Ｂよりも多く、たとえば、Ａ／Ｂ＝２／１程度とされている。これにより、中間部１５に対する親指部１３の傾斜角を大きくすることができる。そのため、着用者の足の親指に対して、足の内側（人差し指（第２指）から離れる側）に向く方向に、より大きな力を加えることができる。
【００３６】
弾性部３が上記のように靴下１の編み組織の一部として選択的に形成されることにより、この靴下１では、非着用状態において、サイドサポート２５および指サポート２６が元の形状に縮むことにより、親指部１３の足の内側側面が踵側に引っ張られて、親指部１３が中間部１５から離れる方向に曲がっている。
次に、図８〜図１２を参照して、靴下１の着用状態を説明するとともに、この靴下１を履いたときの効果を説明する。
【００３７】
図８〜図１０は、図１〜図６に示す靴下１の着用状態を示す図であって、図８が正面から見た図、図９が右斜め上方から見た図、図１０が左斜め上方から見た図である。また、図１１は、着用状態における爪先部８の拡大図であって、親指部１３の爪側編み組織を省略して示す図である。図１２は、着用状態における爪先部８の拡大図であって、親指部１３の爪側編み組織を透視して示す図である。
【００３８】
まず、図８〜図１０を参照して、着用者がこの靴下１を履いたときには、靴下１の爪先側サポート２３が、その弾性力により着用者の足の拇趾球および小趾球を含む爪先付近に固定される。また、靴下１の踵側サポート２４が足首および土踏まずを締め付けることにより、踵部６が踵を覆うように固定される。
そして、サイドサポート２５は、爪先側サポート２３および踵側サポート２４とのそれぞれの交点を支点として着用者の足の親指の形状に沿って伸びることにより、親指から拇趾球にかけて足の側面に接することになる。また、サイドサポート２５から屈曲する指サポート２６も親指の形状に沿って伸び、親指に爪側および指底側の両側から接することとなる。
【００３９】
これにより、２つの支点で固定されたサイドサポート２５が非着用状態の形状に戻ろうとする力（図１０の白抜き矢印Ｘ参照）が踵側へ働き、その力を利用して、着用者の足の親指を収容する親指部１３の側面に対して、踵側へ引っ張る力を加えることができる。その結果、親指部１３に対して中間部１５から離れる方向の力が加わるので、着用者の足の親指に対して足の内側（人差し指（第２指）から離れる側）に向く方向の力（図８〜図１０の白抜き矢印Ｙ参照）を加えることができる。さらに、指サポート２６が非着用状態の形状に戻ろうとする力により、親指に対して中間部１５から離れる方向の力が直接加わる。
【００４０】
また、爪先側サポート２３および踵側サポート２４による締め付けにより、サイドサポート２５が親指部１３を引っ張る際の支点が２点固定されるので、サイドサポート２５が足の側面に対してずれることを抑制できる。そのため、親指部１３に対して力を良好に伝えることができる。
さらに、親指部１３を区画する編み生地を着用者の足の親指に直接引っ掛けることにより、当該親指を外側に引っ張るので、足の中足関節およびリスフラン関節を締め付けることにより足の親指を外側に向けようとする場合よりも、大きな力を親指に加えることができる。
【００４１】
これらの結果、この靴下１によれば、着用者の足の親指に対して人差し指（第２指）から離れる側に向く方向の力を十分加えることができる。よって、外反母趾対策に適した靴下を提供することができる。
また、この靴下１は、ベース部２および弾性部３が連続して編成された編み組織からなるので、着用者は、口ゴム部４を介して爪先部８まで足を挿入することにより、簡単に履くことができる。よって、着用時の手間が少なくて済む。
【００４２】
また、フート部７の足甲部１０に、爪先側サポート２３、サイドサポート２５および踵側サポート２４により区画される開口１２が形成されているので、これらのサポートに区画される領域に編み組織が形成されている場合よりも、爪先側サポート２３、サイドサポート２５および踵側サポート２４それぞれの弾性力の分散を抑制することができる。その結果、爪先側サポート２３および踵側サポート２４を良好に固定できるとともに、サイドサポート２５の弾性力を、親指部１３に対して効率よく伝えることができる。また、着用者の足の甲と足底との間に適当な温度差を発生させることができるので、着用後の快適性にも優れる。
【００４３】
また、開口１２の踵側縁部を区画する踵側サポート２４のフート側部分が、メッシュ編みにより編成されたメッシュ部２７となっている。つまり、歩行時に曲げ伸ばし動作が頻繁に行なわれ、踵側サポート２４による締め度合が大きくなりやすい足首付近の編み組織をメッシュ編みにすることにより、当該箇所における痒みの発生などを抑制することができる。
【００４４】
次いで、図１１を参照して、この靴下１では、親指部１３が人差し指（第２指）から離れる方向に引っ張られるので、親指部１３における人差し指から遠い側の端部の生地が着用後にだぶつきやすい。具体的には、内側ゴアライン１８とゴアライン１９の長さが同じであると、図１１の二点鎖線で示されるように、親指部１３の先端部１７の形状が、人差し指から遠い側においても略曲線で画成されて、人差し指に近い側とほぼ同じ膨らみ度合になり、生地のだぶつきが生じやすい。しかしながら、この靴下１では、親指部１３の先端部１７の形状が、人差し指から遠い側において略直線で画成されていることにより、先端部１７において、人差し指に近い側に比べて遠い側の膨らみ度合が小さくなっている。これにより、人差し指から遠い側における生地のだぶつきを抑えることができる。
【００４５】
また、図１２を参照して、指サポート２６には、爪側部２０における足の外側端部に、ベース部２の編み組織からなる隙間３０が設けられている。そのため、着用時、足の親指の爪溝３１はベース部２の編み組織により押圧され、弾性部３のように押圧力の強い編み組織により押圧されることがない。よって、爪の痛みなどの発生を防止することができる。
【００４６】
以上、本発明の実施形態を説明したが、本発明は、他の形態で実施することもできる。
たとえば、前述の実施形態では、スニーカーソックスを一例として採り上げたが、本発明は、たとえば、ひざ下丈のハイソックス、ひざ上丈のオーバーザニーソックス、太もも丈のストッキング、腰丈のタイツ、さらには、図１３に示すように、爪先部８、フート部７および口ゴム部４のみを有するつま先ソックス３２など、各種レッグウェアに適用することができる。
【００４７】
また、前述の実施形態では、ベース部２および弾性部３の編み組織は、いずれも平編みにより編成されているとしたが、たとえば、パール編み、リブ編み、タック編みなど、各種編成方法により編成することができる。
また、靴下１における地面との接地面に樹脂（たとえば、シリコン樹脂）を接着することにより、滑り止めを形成してもよい。たとえば、親指部１３の裏面、小指部１４の裏面、フート部７における拇趾球および小趾球を覆う箇所、および踵部６の裏面のそれぞれに、点状の滑り止めを形成することができる。
【００４８】
その他、特許請求の範囲に記載された事項の範囲で種々の設計変更を施すことが可能である。
【符号の説明】
【００４９】
１    靴下
３    弾性部
５    レッグ部
６    踵部
７    フート部
８    爪先部
１０  足甲部
１１  足底部
１３  親指部
１４  小指部
１５  中間部
２０  爪側部
２１  指底部
２２  開口部
２３  爪先側サポート
２４  踵側サポート
２６  指サポート
２７  メッシュ部
２８  爪側部の部分
２９  指底部の部分
３０  隙間
３２  つま先ソックス
【図１】
0005411083.tif 000002
【図２】
0005411083.tif 000003
【図３】
0005411083.tif 000004
【図４】
0005411083.tif 000005
【図５】
0005411083.tif 000006
【図６】
0005411083.tif 000007
【図７】
0005411083.tif 000008
【図８】
0005411083.tif 000009
【図９】
0005411083.tif 000010
【図１０】
0005411083.tif 000011
【図１１】
0005411083.tif 000012
【図１２】
0005411083.tif 000013
【図１３】
0005411083.tif 000014